(57)【特許請求の範囲】
【請求項１】
蛍光灯インバータ安定器に接続可能な照明灯であって、
発光ダイオードと、
前記蛍光灯インバータ安定器から供給される交流電圧を整流し、整流後の電圧を前記発光ダイオードに供給する整流回路と、
前記整流回路で整流後の電圧が所定電圧未満では非導通であり前記発光ダイオードに電流を流さず、前記整流後の電圧が前記所定電圧以上になると導通して前記発光ダイオードに電流を流し、導通後に前記整流後の電圧が前記所定電圧未満に変化しても導通を継続するスイッチング回路と、を有し、
前記スイッチング回路は、前記整流回路と前記発光ダイオードとを接続する電源配線に挿入された２端子のスイッチング素子であることを特徴とする照明灯。
【請求項２】
前記スイッチング回路が導通後、前記整流後の電圧は、前記発光ダイオードの順方向電圧に前記スイッチング回路での電圧降下分を加えた電圧に低下することを特徴とする請求項１記載の照明灯。
【請求項３】
前記所定電圧は、前記蛍光灯インバータ安定器が起動時に出力する電圧よりも大きく、かつ、前記蛍光灯インバータ安定器が起動時から安定動作に移行する時に出力する電圧よりも小さく設定されていることを特徴とする請求項１又は２記載の照明灯。
【請求項４】
前記所定電圧が２００Ｖであることを特徴とする請求項３記載の照明灯。
【請求項５】
前記スイッチング回路は、単一のスイッチング素子から構成されていることを特徴とする請求項１乃至４の何れか一項記載の照明灯。
【請求項６】
請求項１乃至５の何れか一項記載の照明灯と、
前記照明灯を装着する灯具と、を備えていることを特徴とする照明装置。
【請求項７】
蛍光灯インバータ安定器に接続可能な照明灯に用いられる点灯制御回路であって、
発光ダイオードと、
前記蛍光灯インバータ安定器から供給される交流電圧を整流し、整流後の電圧を前記発光ダイオードに供給する整流部と、
前記整流部で整流後の電圧が所定電圧未満では非導通であり前記発光ダイオードに電流を流さず、前記整流後の電圧が前記所定電圧以上になると導通して前記発光ダイオードに電流を流し、導通後に前記整流後の電圧が前記所定電圧未満に変化しても導通を継続するスイッチング部と、を設け、
前記スイッチング部は、前記整流部と前記発光ダイオードとを接続する電源配線に挿入された２端子のスイッチング素子であることを特徴とする点灯制御回路。
【発明の詳細な説明】
【技術分野】
【０００１】
本発明は、照明灯、照明装置、及び点灯制御回路に関する。
【背景技術】
【０００２】
近年、低消費電力や長寿命等の特長を有する発光ダイオード（Light Emitting Diode、ＬＥＤ）を用いた照明灯（以降、ＬＥＤ照明灯とする場合がある）が注目されている。蛍光灯インバータ安定器の出力を入力とするＬＥＤ照明灯もそのうちの１つであり、従来の蛍光灯と置き換えて用いることができる。
【０００３】
ところで、蛍光灯インバータ安定器の中には、起動時に異常検出を行い、異常が検出されると保護動作により蛍光灯を不点灯とするものがある。このような蛍光灯インバータ安定器に蛍光灯に置き換えてＬＥＤ照明灯を取り付けると、保護動作によりＬＥＤ照明灯が不点灯となる場合がある。
【０００４】
これは、蛍光灯では起動時には電流が流れないが、ＬＥＤ照明灯では起動時でも電流が流れる場合があるため、蛍光灯インバータ安定器が異常を検出して保護動作を行ったためであると考えられる。従って、ＬＥＤ照明灯を蛍光灯インバータ安定器に接続するためには、この問題を解決する必要がある。
【０００５】
この問題を解決する方法の一例としては、インバータ安定器からの高周波を整流する全波整流回路と、全波整流回路にインダクタ素子を介して接続した平滑コンデンサと、平滑コンデンサに接続したＬＥＤユニットからなり、インダクタ素子を蛍光灯インバータ安定器からの周波数の２倍で充分なインピーダンスを有する値に設定する技術が開示されている。
【発明の概要】
【発明が解決しようとする課題】
【０００６】
しかしながら、上記の技術では、蛍光灯インバータ安定器が安定動作に移行した後も、蛍光灯インバータ安定器から高い電圧が出力され続けるため、省電力化を実現できない。
【０００７】
本発明は、上記の点に鑑みてなされたものであり、発光ダイオードを備えた照明灯において、蛍光灯インバータ安定器と接続した際に安定して点灯させると共に省電力化を実現することを課題とする。
【課題を解決するための手段】
【０００８】
本照明灯は、蛍光灯インバータ安定器に接続可能な照明灯であって、発光ダイオードと、前記蛍光灯インバータ安定器から供給される交流電圧を整流し、整流後の電圧を前記発光ダイオードに供給する整流回路と、前記整流回路で整流後の電圧が所定電圧未満では非導通であり前記発光ダイオードに電流を流さず、前記整流後の電圧が前記所定電圧以上になると導通して前記発光ダイオードに電流を流し、導通後に前記整流後の電圧が前記所定電圧未満に変化しても導通を継続するスイッチング回路と、を有し、前記スイッチング回路は、前記整流回路と前記発光ダイオードとを接続する電源配線に挿入された２端子のスイッチング素子であることを要件とする。
【発明の効果】
【０００９】
開示の技術によれば、発光ダイオードを備えた照明灯において、蛍光灯インバータ安定器と接続した際に安定して点灯させると共に省電力化を実現することができる。
【図面の簡単な説明】
【００１０】
【図１】第１の実施の形態に係る照明装置の外観を例示する斜視図である。
【図２】第１の実施の形態に係る照明灯を例示する横断面図である。
【図３】第１の実施の形態に係る照明灯の回路ブロックを例示する図である。
【図４】第１の実施の形態の変形例１に係る照明灯の回路ブロックを例示する図である。
【図５】第１の実施の形態の変形例２に係る照明灯の回路ブロックを例示する図である。
【図６】第１の実施の形態の変形例３に係る照明灯の回路ブロックを例示する図である。
【図７】第１の実施の形態の変形例４に係る照明灯の回路ブロックを例示する図である。
【図８】第１の実施の形態の変形例５に係る照明灯の回路ブロックを例示する図である。
【図９】第１の実施の形態に係る照明灯の主要な回路の結線を例示する図である。
【発明を実施するための形態】
【００１１】
以下、図面を参照して発明を実施するための形態について説明する。各図面において、同一構成部分には同一符号を付し、重複した説明を省略する場合がある。
【００１２】
〈第１の実施の形態〉
図１は、第１の実施の形態に係る照明装置の外観を例示する斜視図である。図１を参照するに、照明装置１は、照明灯２と、照明灯２を着脱可能に装着する灯具５とを有する。
【００１３】
照明灯２は、透光部２０と、口金２１及び２２とを有する。透光部２０は、内蔵された光源（後述のＬＥＤモジュール２７）から出射された光を透過する樹脂製やガラス製等の部材からなり、一端部に設けられた口金２１及び他端部に設けられた口金２２により封止されている。透光部２０は、例えば、直管形とすることができる。
【００１４】
口金２１は、凸型の端子２１１及び２１２を備えている。同様に、口金２２は、凸型の端子２２１及び２２２を備えている。但し、端子の一部は図１では図示されていない（後述の図９参照）。なお、透光部２０の内部には、電気回路が設けられている（後述の図３参照）。
【００１５】
灯具５は、蛍光灯安定器５０（図９参照）と、照明灯２を着脱可能に装着するソケット５１及び５２とを有し、商用交流電源と接続可能に構成されている。商用交流電源の周波数は、例えば、５０Ｈｚや６０Ｈｚである。商用交流電源からの電力は、蛍光灯安定器５０に供給される。
【００１６】
蛍光灯安定器５０は、例えば、周知の蛍光灯グロー安定器、蛍光灯ラピッド安定器、蛍光灯インバータ安定器等である。但し、後述のように、照明灯２は商用交流電源と直結可能に構成されており、その場合には蛍光灯安定器５０は不要となる。このように、照明灯２は、蛍光灯グロー安定器、蛍光灯ラピッド安定器、蛍光灯インバータ安定器、及び商用交流電源の何れとも接続可能に構成することができる。
【００１７】
ソケット５１は、凹型の端子５１１及び５１２を備えている。同様に、ソケット５２は、凹型の端子５２１及び５２２を備えている。但し、端子の一部は図１では図示されていない（後述の図９参照）。
【００１８】
照明灯２の口金２１の端子２１１及び２１２は、灯具５のソケット５１の端子５１１及び５１２に差し込まれて嵌合し、電気的に接続される。同様に、照明灯２の口金２２の端子２２１及び２２２は、灯具５のソケット５２の端子５２１及び５２２に差し込まれて嵌合し、電気的に接続される。
【００１９】
図２は、第１の実施の形態に係る照明灯を例示する横断面図である。図２に示すように、照明灯２において、円筒形の透光部２０の内部には、フレーム４１０が固定されている。フレーム４１０の一方側には、ＬＥＤモジュール２７が実装されたＬＥＤ基板４２０が着脱可能に装着されている。又、フレーム４１０の他方側にはホルダ４３０が設けられ、ホルダ４３０には整流回路２４及び２５やドライブ回路２６等が実装されたＤＲＶ基板４４０が着脱可能に装着されている。
【００２０】
フレーム４１０及びホルダ４３０は、長手方向において略同一の断面形状とされており、透光部２０の端部側から長手方向にスライドさせることで、透光部２０の内部に挿入可能に構成されている。同様に、ＬＥＤ基板４２０とＤＲＶ基板４４０は、長手方向において略同一の断面形状とされており、透光部２０の端部側から長手方向にスライドさせることで、透光部２０の内部に挿入可能に構成されている。
【００２１】
ＬＥＤ基板４２０とＤＲＶ基板４４０との間にホルダ４３０を設けることにより、ＤＲＶ基板４４０の熱がＬＥＤ基板４２０に伝わり難くなり、ＬＥＤモジュール２７に与える熱の影響が全てのＬＥＤで略均一になる。このため、時間の経過と共に部分的にＬＥＤの寿命が短くなる不都合を防止できる。
【００２２】
このように、照明灯２の形状は直管形の蛍光灯と類似しており、灯具５に取り付けられる既存の蛍光灯と容易に交換可能である。但し、照明灯２の形状は、蛍光灯と類似していなくても構わない。例えば、透光部２０の断面形状が円筒形でなく半円筒形等であってもよい。
【００２３】
図３は、第１の実施の形態に係る照明灯の回路ブロックを例示する図である。図３を参照するに、照明灯２は、主要部として、口金２１及び２２と、フィルタ回路２３と、整流回路２４及び２５と、ドライブ回路２６と、ＬＥＤモジュール２７と、インバータ検知回路２８とを有する。
【００２４】
フィルタ回路２３は、ＥＭＩ対策フィルタであり、照明灯２から周囲に発する電磁ノイズを低減するための回路である。フィルタ回路２３は、例えば、ライン間コンデンサ（Ｘコンデンサ）、対アースコンデンサ（Ｙコンデンサ）、コモンモードコイル、ノーマルモードコイル等を直列や並列に接続した回路とすることができる。照明灯２は、フィルタ回路２３を搭載することで、電磁ノイズを低減することが可能となり、ＥＭＩ（Electro-Magnetic Interference ）規格を満足することができる。
【００２５】
なお、フィルタ回路２３は、切替回路６１により、バイパス可能に構成されている。切替回路６１は、例えば、リレーや半導体スイッチ（ＦＥＴ等）により構成することができる。
【００２６】
整流回路２４及び２５は、口金２１及び２２から直接、又はフィルタ回路２３を経由して供給される交流電圧を整流し、整流後の電圧をドライブ回路２６を介してＬＥＤモジュール２７に供給する回路である。
【００２７】
ドライブ回路２６は、複数の発光ダイオードを備えたＬＥＤモジュール２７を駆動する回路である。ドライブ回路２６は、例えば、昇降圧回路や定電流回路等を含む構成とすることができる。ドライブ回路２６を設けることで、整流回路２４及び２５から供給される電圧が変動してもＬＥＤモジュール２７に定格を超えない適正な電流を供給することが可能となり、ＬＥＤモジュール２７の故障を防止すると共に省電力を実現できる。
【００２８】
照明灯２は、蛍光灯グロー安定器、蛍光灯ラピッド安定器、蛍光灯インバータ安定器、及び商用交流電源の何れの電力供給部とも接続できるが、接続される対象により使用する回路を選択可能に構成されている。
【００２９】
インバータ検知回路２８は、照明灯２が灯具５に接続されて通電された際に、灯具５に内蔵された蛍光灯安定器５０が蛍光灯インバータ安定器であるか否かを検知する回路である。蛍光灯安定器５０が蛍光灯インバータ安定器である場合、蛍光灯安定器５０から照明灯２に入力される信号の周波数は数１０ＫＨｚ程度の高周波である。
【００３０】
一方、蛍光灯安定器５０が蛍光灯グロー安定器、蛍光灯ラピッド安定器、商用交流電源の何れかである場合、蛍光灯安定器５０から（或いは、商用交流電源から直接）照明灯２に入力される信号の周波数は５０〜６０Ｈｚ程度の低周波である。そこで、インバータ検知回路２８は、例えば、照明灯２に入力される信号の周波数に基づいて、灯具５に内蔵された蛍光灯安定器５０が蛍光灯インバータ安定器であるか否かを検知することができる。
【００３１】
インバータ検知回路２８が、灯具５に内蔵された蛍光灯安定器５０が蛍光灯インバータ安定器であることを検知した場合には、切替回路６１により、フィルタ回路２３がバイパスされる。又、後述のスイッチング回路３３は、蛍光灯安定器５０が蛍光灯インバータ安定器であることを検知した場合にのみ有効となり、それ以外の場合には切替回路６１によりバイパスされる。
【００３２】
すなわち、灯具５に内蔵された蛍光灯安定器５０が蛍光灯インバータ安定器である場合には、蛍光灯インバータ安定器から口金２１及び２２を介して照明灯２に入力された信号は、フィルタ回路２３をバイパスして整流回路２４及び２５に供給される。そして、整流回路２４及び２５の出力は、スイッチング回路３３を経て（ドライブ回路２６はバイパス）、ＬＥＤモジュール２７に供給される。
【００３３】
又、図４に記載のように、フィルタ回路２３とは別に、高周波用フィルタ回路６３を設ける構成としてもよい。そして、インバータ検知回路２８が、灯具５に内蔵された蛍光灯安定器５０が蛍光灯インバータ安定器であることを検知した場合には、切替回路６１により、高周波用フィルタ回路６３を通るようにしてもよい。そのため、フィルタ回路２３をバイパスしても、ＥＭＩノイズの問題は生じず、又、ＬＥＤモジュール２７に定格を超えない適正な電流を供給することが可能である。又、蛍光灯安定器５０にフィルタ回路に相当する機能が備えられている場合もある。
【００３４】
更に、図５に記載のように、ドライブ回路２６は、切替回路により、バイパス可能に構成されてもよい。切替回路は、例えば、リレーや半導体スイッチ（ＦＥＴ等）により構成することができる。切替回路６１によりフィルタ回路２３がバイパスされた場合には、整流回路２４及び２５の出力は、ドライブ回路２６をバイパスしてＬＥＤモジュール２７に供給される。なお、図５の照明灯においても、インバータ検知回路２８が、灯具５に内蔵された蛍光灯安定器５０が蛍光灯インバータ安定器であることを検知した場合には、切替回路６１により、高周波用フィルタ回路を通るようにしてもよい。
【００３５】
更に、図６に記載のように、ドライブ回路２６とは別に、第２のドライブ回路６６を設ける構成にしてもよい。更に、図７に記載のように、照明灯２は、ラピッド検知回路２９を設ける構成にしてもよい。ラピッド検知回路２９は、照明灯２が灯具５に接続されて通電された際に、灯具５に内蔵された蛍光灯安定器５０が蛍光灯ラピッド安定器であるか否かを検知する回路である。
【００３６】
例えば、ラピッド検知回路２９が、灯具５に内蔵された蛍光灯安定器５０が蛍光灯ラピッド安定器であることを検知した場合には、フィルタ回路２３やドライブ回路２６はバイパスされないが、ドライブ回路２６の仕様が変更されるようにすることができる。
【００３７】
なお、インバータ検知回路２８が、蛍光灯安定器５０が蛍光灯インバータ安定器であることを検知せず、かつ、ラピッド検知回路２９が、蛍光灯安定器５０が蛍光灯ラピッド安定器であることを検知しない場合もある。この場合は、蛍光灯安定器５０が蛍光灯グロー安定器である、又は、蛍光灯安定器５０を介さず照明灯２が商用交流電源に直結されたと認識し、口金２１及び２２を介して照明灯２に入力された信号はフィルタ回路２３を経由して整流回路２４及び２５に供給される。そして、整流回路２４及び２５の出力は、ドライブ回路２６を経由してＬＥＤモジュール２７に供給される。又、ドライブ回路２６の仕様は、蛍光灯グロー安定器及び商用交流電源に適合したものが選択される。
【００３８】
図６及び図７の照明灯においても、インバータ検知回路２８が、灯具５に内蔵された蛍光灯安定器５０が蛍光灯インバータ安定器であることを検知した場合には、切替回路６１により、高周波用フィルタ回路を通るようにしてもよい。
【００３９】
更に、図８に記載のように、フィルタ回路２３及び高周波用フィルタ回路６３を設けない構成にしてもよい。
【００４０】
以上、図３乃至図８を参照しながら、照明灯２に搭載される回路ブロックの全体的な動作の概略を説明した。次に、図９を参照しながら、照明灯２の特徴的な動作について説明する。なお、図９では、本実施の形態に係る照明灯２の主要な回路の結線のみを示し、特徴的な動作に関係しない部分の結線については図示を省略している。
【００４１】
図９において、照明灯２の口金２１の端子２１１及び２１２は、灯具５のソケット５１の端子５１１及び５１２に差し込まれて嵌合し、電気的に接続されている。同様に、照明灯２の口金２２の端子２２１及び２２２は、灯具５のソケット５２の端子５２１及び５２２に差し込まれて嵌合し、電気的に接続されている。
【００４２】
整流回路２４及び２５は、例えば、逆回復時間が短い所謂ファーストリカバリダイオード等を用いて構成されたブリッジ型全波整流回路である。整流回路２４及び２５は、蛍光灯安定器５０が蛍光灯インバータ安定器以外である場合、口金２１及び２２からフィルタ回路２３（図９では図示せず）を経由して入力される交流電圧を整流する。そして、整流回路２４及び２５により整流された整流後の電圧は、整流回路２４及び２５の出力部である正側配線３１及び負側配線３２を介してドライブ回路２６（図９では図示せず）を経由して、ＬＥＤモジュール２７の両端に供給される。
【００４３】
一方、整流回路２４及び２５は、蛍光灯安定器５０が蛍光灯インバータ安定器である場合、フィルタ回路２３を経由せずに蛍光灯インバータ安定器から直接入力される交流電圧を整流する。そして、整流回路２４及び２５により整流された整流後の電圧は、正側配線３１及び負側配線３２に出力され、スイッチング回路３３を経由して（ドライブ回路２６はバイパス）、ＬＥＤモジュール２７の両端に供給される。
【００４４】
なお、スイッチング回路３３は正側配線３１に挿入されており、整流回路２４及び２５で整流後の電圧Ｖ１（正側配線３１と負側配線３２との間の電圧）に応じて導通／非導通が切り替わる回路である。具体的には、スイッチング回路３３は、電圧Ｖ１が所定電圧未満では非導通でありＬＥＤモジュール２７に電流を流さず、電圧Ｖ１が所定電圧以上になると導通してＬＥＤモジュール２７に電流を流し、導通後に電圧Ｖ１が所定電圧未満に変化しても導通を継続する。
【００４５】
スイッチング回路３３は、切替回路６１によりバイパスすることができる。図９の場合には、一例として、スイッチング回路３３はサイダック（登録商標）により構成されている。但し、スイッチング回路３３はサイダックのような単一のスイッチング素子から構成しなくてもよい。
【００４６】
例えば、スイッチング回路３３は、電圧Ｖ１を検出する検出部と、正側配線３１の導通／非導通を切り替えるスイッチ部とを有し、電圧Ｖ１が所定電圧以上になると導通状態となり、その後電圧Ｖ１が所定電圧未満となっても導通状態を継続する回路等としてもよい。その際、回路の一部にサイリスタやトライアック等の素子を用いてもよい。
【００４７】
ＬＥＤモジュール２７は、複数の発光ダイオード２７１が正側配線３１と負側配線３２との間に直列に接続された直列接続部（図９では６個の発光ダイオード２７１を直列に接続）を複数個有している。そして、各直列接続部は、複数列並列に接続されている。スイッチング回路３３が導通すると、各発光ダイオード２７１に電流が流れて発光する。
【００４８】
ところで、蛍光灯安定器５０が蛍光灯インバータ安定器である場合、蛍光灯インバータ安定器の起動時には、まず、予熱を目的とする低電圧（電圧Ｖ１＝５〜１０Ｖ程度）が印加され、その後、電圧Ｖ１が２００Ｖ弱程度となる。その後、電圧Ｖ１が徐々に上昇して２００Ｖ強程度の電圧となり安定動作に移行する。蛍光灯の安定動作時には２００Ｖ強程度の電圧が継続的に印加される。
【００４９】
蛍光灯インバータ安定器の中には、起動時に異常検出を行うものが存在する。蛍光灯インバータ安定器に蛍光灯が装着されている場合には、起動時には蛍光灯に電流が流れないため、蛍光灯インバータ安定器に照明灯２が装着されている場合にも、通常の蛍光灯が装着されている場合と同様の振る舞いをさせる必要がある。異なる振る舞いをすると、蛍光灯インバータ安定器の異常検出により保護動作が行われ、照明灯２が不点灯となるおそれがある。
【００５０】
そこで、照明灯２の場合にも起動時に蛍光灯と同様に振る舞うように（つまり、起動時に電流が流れないように）、スイッチング回路３３を設けている。そして、スイッチング回路３３が導通状態となる所定電圧を、蛍光灯インバータ安定器が起動時に出力する電圧よりも大きく、かつ、蛍光灯インバータ安定器が起動時から安定動作に移行する時に出力する電圧よりも小さく設定している。
【００５１】
例えば、スイッチング回路３３として、ブレークオーバ電圧が２００Ｖのサイダックを用いることができる。この場合、電圧Ｖ１が２００Ｖ未満ではサイダックがブレークオーバしないため、蛍光灯インバータ安定器側から整流回路２４及び２５側に電流は流れない。電圧Ｖ１が２００Ｖ以上になるとサイダックがブレークオーバし、蛍光灯インバータ安定器側から整流回路２４及び２５側に電流が流れる。
【００５２】
起動時に蛍光灯インバータ安定器から印加される電圧Ｖ１は最大で２００Ｖ弱程度であるから、起動時には蛍光灯インバータ安定器側から整流回路２４及び２５側に電流は流れず、蛍光灯インバータ安定器に蛍光灯が装着されている場合と同様の振る舞いとなる。これにより、照明灯２が不点灯となる問題を解消できる。
【００５３】
その後、蛍光灯インバータ安定器から印加される電圧Ｖ１が徐々に上昇して２００Ｖ強程度の電圧となり安定動作に移行するが、２００Ｖになるとサイダックがブレークオーバする。サイダックがブレークオーバすると、蛍光灯インバータ安定器側から整流回路２４及び２５側に電流が流れ、サイダックを介してＬＥＤモジュール２７に電流が供給される。その際、蛍光灯インバータ安定器から印加される電圧Ｖ１は、ＬＥＤモジュール２７の各直列接続部を構成する複数の発光ダイオード２７１の順方向電圧の総和にサイダックでの電圧降下分（１Ｖ未満程度）を加えた電圧に低下する。
【００５４】
このように、第１の実施の形態に係る照明灯２では、スイッチング回路３３を設けることにより、蛍光灯インバータ安定器の起動時に実行される異常検出により、異常動作が検出されて、照明灯２が不点灯となることを回避可能となる。これにより、ＬＥＤモジュール２７を安定して点灯させることができる。
【００５５】
又、ＬＥＤモジュール２７の各直列接続部を構成する複数の発光ダイオード２７１の順方向電圧の総和を、蛍光灯の安定動作時に通常印加されている電圧（約２００Ｖ強程度）よりも低い電圧（例えば、８０Ｖ程度）に設定している。そのため、蛍光灯インバータ安定器が安定動作に移行した際の電圧を、蛍光灯を用いる場合の電圧（約２００Ｖ強程度）よりも低に電圧（例えば、８０Ｖ＋サイダックでの電圧降下分）とすることが可能となり、省電力化を実現できる。
【００５６】
なお、スイッチング回路３３がサイダックである場合、ブレークオーバ電圧は２００Ｖ程度であることが好ましい。ブレークオーバ電圧が２００Ｖよりも低くなるにつれて、ブレークオーバ電圧が蛍光灯インバータ安定器が起動時に出力する電圧よりも小さくなるおそれが高まり、その場合、蛍光灯インバータ安定器の異常検出により保護動作が行われるからである。又、ブレークオーバ電圧が２００Ｖよりも高くなるにつれて、蛍光灯インバータ安定器が起動時から安定動作に移行する時に出力する電圧がブレークオーバ電圧を超えられなくなるおそれが高まり、その場合、照明灯２に電流が供給されず不点灯となるからである。
【００５７】
以上、好ましい実施の形態及びその変形例について詳説したが、上述した実施の形態及びその変形例に制限されることはなく、特許請求の範囲に記載された範囲を逸脱することなく、上述した実施の形態及びその変形例に種々の変形及び置換を加えることができる。
【００５８】
例えば、上記実施の形態では、照明灯の例として、蛍光灯グロー安定器、蛍光灯ラピッド安定器、蛍光灯インバータ安定器、及び商用交流電源の何れとも接続できるものを示した。しかし、本発明は、少なくとも蛍光灯インバータ安定器に接続可能な照明灯に適用できる。すなわち、蛍光灯インバータ安定器のみに接続可能な照明灯にも適用できるし、蛍光灯インバータ安定器に接続可能であり、他の蛍光灯安定器や商用交流電源とも接続可能な照明灯にも適用できる。
【００５９】
又、蛍光灯インバータ安定器のみに接続可能な照明灯の場合には、図３乃至図８の回路ブロック中の必要なもののみを搭載すればよい。例えば、インバータ検知回路やラピッド検知回路、フィルタ回路、ドライブ回路等は搭載しなくてもよい。
【符号の説明】
【００６０】
１  照明装置
２  照明灯
５  灯具
２０  透光部
２１、２２  口金
２３  フィルタ回路
２４、２５  整流回路
２６  ドライブ回路
２７  ＬＥＤモジュール
２８  インバータ検知回路
２９  ラピッド検知回路
３１  正側配線
３２  負側配線
３３  スイッチング回路
５０  蛍光灯安定器
５１、５２  ソケット
６１  切替回路
６３  高周波用フィルタ回路
６６  第２のドライブ回路
２１１、２１２、２２１、２２２、５１１、５１２、５２１、５２２  端子
２７１  発光ダイオード
４１０  フレーム
４２０  ＬＥＤ基板
４３０  ホルダ
４４０  ＤＲＶ基板
【先行技術文献】
【特許文献】
【００６１】
【特許文献１】特開平１１−１３５２７４号公報
【要約】
【課題】発光ダイオードを備えた照明灯において、蛍光灯インバータ安定器と接続した際に安定して点灯させると共に省電力化を実現すること。
【解決手段】本照明灯は、蛍光灯インバータ安定器に接続可能な照明灯であって、発光ダイオードと、前記蛍光灯インバータ安定器から供給される交流電圧を整流し、整流後の電圧を前記発光ダイオードに供給する整流回路と、前記整流回路で整流後の電圧が所定電圧未満では非導通であり前記発光ダイオードに電流を流さず、前記整流後の電圧が前記所定電圧以上になると導通して前記発光ダイオードに電流を流し、導通後に前記整流後の電圧が前記所定電圧未満に変化しても導通を継続するスイッチング回路と、を有する。
【選択図】図９【図１】
0006011676.tif 000002
【図２】
0006011676.tif 000003
【図３】
0006011676.tif 000004
【図４】
0006011676.tif 000005
【図５】
0006011676.tif 000006
【図６】
0006011676.tif 000007
【図７】
0006011676.tif 000008
【図８】
0006011676.tif 000009
【図９】
0006011676.tif 000010